(57)【要約】【課題】物理アップリンク・チャネル上で物理アップリンクの送信パワーレベルを決定する方法および装置を提供すること。【解決手段】ＲＡＣＨアップリンク・メッセージが送信される。ＲＡＣＨアップリンク・メッセージは、ＲＡＣＨメッセージのパワーレベルおよび／またはダウンリンクのパスロス指数を含む。パワーのオフセット値を含むダウンリンク・メッセージが受信される。パワーのオフセット値に基づいて、物理アップリンク・チャネル上で送信するための物理アップリンクのパワーレベルが設定される。別の実施形態において、ＲＡＣＨアップリンク・メッセージが送信されて、相対パワーのオフセット値を含むダウンリンク・メッセージが受信される。相対パワーのオフセット値に基づいて、物理アップリンク・チャネル上で送信するための物理アップリンクのパワーレベルがその後に設定される。【選択図】図６
2015006002.tif 000002
【特許請求の範囲】
【請求項１】
物理アップリンク・チャネル上における物理アップリンクの送信パワーレベルを決定する方法であって、
ＲＡＣＨ(random access channel)アップリンク・メッセージを送信するステップであって、前記ＲＡＣＨアップリンク・メッセージは、ＲＡＣＨプリアンブル又は第１のスケジュールＲＡＣＨメッセージである、ステップと、
相対パワーオフセット値を含むランダム・アクセス応答信号を受信するステップと、
前記物理アップリンク・チャネル上の前記物理アップリンクの送信パワーレベルを前記相対パワーオフセット値に基づいて設定するステップであって、前記物理アップリンク・チャネルは、物理アップリンク制御チャネル又は物理アップリンク共有チャネルのうちの１つである、ステップと
を備えることを特徴とする方法。
【発明の詳細な説明】
【技術分野】
【０００１】
本出願は、無線通信に関する。
【背景技術】
【０００２】
進化（Evolved）ＵＴＲＡおよびＵＴＲＡＮの目的は、改良されたシステム容量およびカバレッジを用いて、無線アクセス・ネットワークを高データレート、低遅延、パケット最適化システムへと発達させることである。これを達成するために、無線ネットワーク・アーキテクチャだけでなく無線インタフェースの進化も考慮されなければならない。例えば、現在、３ＧＰＰ、ＯＦＤＭＡ、およびＦＤＭＡに使用されているＣＤＭＡを使用する代わりに、ダウンリンク送信とアップリンク送信とのそれぞれに使用されるエア・インタフェース技術が提案されている。例えば、大きな変化の一つは、ＬＴＥにおいてすべてのパケット交換サービスを適用することであり、つまりすべての音声電話がパケット交換に基づいて行われることである。
【０００３】
図１は、従来のパケット最適化無線アクセス・ネットワークを示し、この場合、ＵＴＲＡＮ(UMTS Terrestrial Radio Access Network)を示す。ＵＴＲＡＮは、１または複数のＲＮＣ(radio network controller)１０４と、３ＧＰＰではノードＢまたは進化ノードＢ(eNB)と呼ばれる基地局１０２とを有し、３ＧＰＰではＵＥ(user equipment)と呼ばれるＷＴＲＵ１００との無線通信を行うための地理的カバレッジを総合的に備える。ノードＢ１０２の地理的カバレッジエリアは、セルと呼ばれる。ＵＴＲＡＮは、ＣＮ(core network)１０６に接続される。
【０００４】
ＵＭＴＳにおいて、（初期ＲＡＣＨアクセス・プリアンブルの後に）決定されるＰＲＡＣＨメッセージの初期パワーは、以下の式に基づく。
Ｐmessage-control ＝ Ｐpreamble ＋ Ｐｏｗｅｒ  ｏｆｆｓｅｔ  Ｐp-m;    式（１）
ここで、Ｐpreambleは、最後に送信されたプリアンブルのパワーであり、Ｐp-m（ｄＢで表される）は、最後に送信されたプリアンブルとメッセージの制御部との間の信号が送られたパワーのオフセットである。
【０００５】
アップリンクＤＰＣＣＨ(dedicated physical control channel)について、第１のＤＰＣＣＨ送信のパワーが以下のように確立される。
ＤＰＣＣＨ＿Ｉｎｉｔｉａｌ＿ｐｏｗｅｒ ＝ ＤＰＣＣＨ＿Ｐｏｗｅｒ＿ｏｆｆｓｅｔ − ＣＰＩＣＨ＿ＲＳＣＰ    式（２）
ここで、ＤＰＣＣＨ＿Ｐｏｗｅｒ＿ｏｆｆｓｅｔは、ＩＥ“Ｕｐｌｉｎｋ  ＤＰＣＨ  ｐｏｗｅｒ  ｃｏｎｔｒｏｌ  ｉｎｆｏ”にＩＥ“ＤＰＣＣＨ  Ｐｏｗｅｒ  ｏｆｆｓｅｔ”値を有して信号送信され、ＣＰＩＣＨ＿ＲＳＣＰは、ＷＴＲＵ(wireless transmit receive unit)によって測定されたＣＰＩＣＨの受信された信号コードパワーである。
【０００６】
進化ＵＴＲＡ  ＵＬ(uplink)パワー制御に関しては異なる方法で出される。ＰＵＳＣＨ(physical uplink shared channel)送信に対するＷＴＲＵ送信パワーＰpuschの設定は、以下のように定義される。  
Ｐpusch ＝ ｍｉｎ（Ｐmax,１０ｌｏｇ10（Ｍ） ＋ Ｐo ＋ α・ＰＬ ＋ Δmcs ＋ ｆ（Δi））  式（３）
ここで；
・Ｐmaxは、ＵＥのパワークラスによって決まる最大許容パワーである。
・Ｍは、ＵＬスケジューリング許可において示されるリソースブロックの割り当て数である。
・Ｐ0は、１ｄＢ分解能を用いたＵＥ固有パラメータである。
・αは、セル固有のパスロス補償因子（１に設定してパスロスを完全に補償することができる）であり、その因子は０．４から１までの間に０．１ずつ増えていく値とともにゼロに近い値の１つを加えた８つの値を有する。
・ＰＬは、ＵＥにおいてＲＳＲＰ測定から計算されるダウンリンクのパスロスであり、ＲＳ送信パワーを信号送信される。
・Δmcsは、ＲＲＣによって信号が送られる（Δmcsテーブル項目をゼロに設定できる）。
○それぞれのＵＬスケジューリング許可においてＭＣＳが信号送信される。
・Δiは、ＵＥ固有補正値であり、以下のように与えられるスケジューリングに拠って異なって定義される。
○スケジュールされた場合、
・Δiは、それぞれのＵＬスケジューリング許可に含まれる。
・上位層を経由して関数ｆ（*）が信号送信される。
・ｆ（*）は、アキュムレーション（accumulation）または電流の絶対値（current absolute value）のどちらかを表す。
○スケジュールされない場合、
・Δiは、それぞれのＤＬスケジューリング割り当てに含まれる、または、ＴＰＣ  ＰＤＣＣＨ上で他のＵＥ固有補正値とともに符号化される。
・ＵＥは、ＤＲＸ時を除くすべてのサブフレーム上でＴＰＣ  ＰＤＣＣＨおよびＤＬスケジューリング・フレームを検出しようと試みる。
・ＤＬ(downlink)スケジューリング割り当てによるΔiは、ＴＰＣ  ＰＤＣＣＨとの両方が所与のサブフレームにおいて受信された場合、ＴＰＣ  ＰＤＣＣＨからの任意のコマンドに優先する。
・関数ｆ（*）は、アキュムレーションのみを表す。
【０００７】
ＰＵＣＣＨ(physical uplink control channel)送信に対するＵＥ送信パワーＰpucchの設定は、以下のように定義される。  
Ｐpucch ＝ ｍｉｎ（Ｐmax,１０ｌｏｇ10（Ｍpucch） ＋ Ｐo_pucch ＋ ＰＬ ＋ Δmcs_pucch ＋ ｇ（Δj））  式（４）
・Ｍpucchは、ＰＵＣＣＨに対するリソースブロックの割り当て数である。
・Δmcs_pucchは、ＲＲＣによって信号が送られる（Δmcs_pucchテーブル項目をゼロに設定できる）。
○ＭＣＳは、上位層シグナリングを使用して信号が送られる。
・Ｐo_pucch_は、１ｄＢ分解能を用いたＵＥ固有パラメータである。
・Δjは、ＵＥ固有補正値であり、ＴＰＣコマンドとも呼ばれ、ＤＬスケジューリング割り当てに含まれる、または、ＴＰＣ  ＰＤＣＣＨ上で他のＵＥ固有補正値とともに符号化されて送信される。
○ＵＥは、ＤＲＸ時を除くすべてのサブフレーム上でＴＰＣ  ＰＤＣＣＨおよびＤＬスケジューリング・フレームを検出しようと試みる。
○ＤＬスケジューリング割り当てによるＴＰＣコマンドは、ＴＰＣ  ＰＤＣＣＨとの両方が所与のサブフレームにおいて受信された場合、ＴＰＣ  ＰＤＣＣＨからの任意のコマンドに優先する。
○関数ｇ（*）は、アキュムレーションを表す。
パワー制御パラメータは、ＵＥにおいて測定されるＰＬパラメータを除いて、ｅＮＢによって送信される許可メッセージにおいて送信される前にＵＥに信号送信される。
【発明の概要】
【発明が解決しようとする課題】
【０００８】
両方のＵＭＴＳの場合、初期パワーレベルは、ｅＮＢによって決定および信号送信がなされない。代わりに、その初期パワーレベルは、パワーのオフセット値、および、（ＲＡＣＨメッセージの）以前の送信パワーまたは測定された（ＤＰＣＣＨの）信号強度のどちらかに基づいてＵＥによって決定される。これによって、ＵＥがその初期パワーを許容レベルに設定することができるようになる。しかしながら、エンハンスＵＴＲＡの場合、パワー制御の信号は、ｅＮＢによってＵＥに送られ、ｅＮＢは、ＵＥによってそのＲＡＣＨ信号において送信されたパワーについての情報を有しない。従って、改良された制御またはシグナリングをパワー制御に付加する必要があり、その結果ＵＥはＲＡＣＨの初期処理の後に適切なパワーで送信することができる。
【課題を解決するための手段】
【０００９】
本出願の例示的な実施形態は、物理アップリンク・チャネル上で物理アップリンクの送信パワーレベルを決定する方法および装置を含む。
【００１０】
一実施形態において、ＲＡＣＨ(random access channel)アップリンク・メッセージが送信される。ＲＡＣＨアップリンク・メッセージは、ＲＡＣＨメッセージのパワーレベルおよび／またはダウンリンクのパスロス指数（pathloss figure）を含む。パワーのオフセット値を含むダウンリンク・メッセージが受信される。物理アップリンク・チャネル上での送信用の物理アップリンク・パワーレベルがパワーのオフセット値に基づいて設定される。
【００１１】
別の実施形態において、ＲＡＣＨアップリンク・メッセージが送信されて、相対パワーのオフセット値を含むダウンリンク・メッセージが受信される。その後、物理アップリンク・チャネル上の物理アップリンクの送信パワーレベルが、相対パワーのオフセット値に基づいて設定される。
【図面の簡単な説明】
【００１２】
添付図面とともに例として与えられた以下の説明からより詳細な理解を得ることができる。
【図１】ＵＴＲＡＮなどの従来のパケット最適化無線アクセス・ネットワークを示す概略ブロック図である。
【図２】例示的な競合ベースのランダム・アクセス・プロシージャを示す概略信号図である。
【図３】本出願にかかる例示的なＷＴＲＵの或る機能を示す概略ブロック図である。
【図４】物理アップリンク・チャネル上の物理アップリンクの送信パワーレベルを決定する例示的な方法を示すフローチャートである。
【図５】本出願にかかる別の例示的なＷＴＲＵの或る機能を示す概略ブロック図である。
【図６】物理アップリンク・チャネル上の物理アップリンクの送信パワーレベルを決定する別の例示的な方法を示すフローチャートである。
【発明を実施するための形態】
【００１３】
以下を参照する場合、用語「ＷＴＲＵ(wireless transmit/receive unit)」は、ＵＥ(user equipment)、移動局、固定式または移動式加入者装置、ポケットベル、携帯電話、ＰＤＡ(personal digital assistant)、コンピュータ、または無線環境において動作できる他のあらゆる種類のユーザデバイスを含むが、これに限らない。以下を参照する場合、用語「移動局」は、ノードＢ、サイトコントローラ、ＡＰ(access point)、または無線環境において動作できる他のあらゆる種類のインタフェーシングデバイスを含むが、これに限らない。
【００１４】
本アプリケーションは、ＲＡＣＨ(random access channel)通信を使用して、物理アップリンク・チャネル上で物理アップリンクの所望の送信パワーレベルを決定する方法および装置を含む。図２は、例示的な競合ベースのランダム・アクセス・プロシージャを示す概略信号図である。この例のＲＡＣＨメッセージ・シーケンスは、ＷＴＲＵ１００からｅＮＢ１０２に送信されるランダム・アクセス・プリアンブル２００を含む。ランダム・アクセス・プリアンブル２００を受信した後、ｅＮＢ１０２は、ランダム・アクセス応答信号２０２を送信することによってＷＴＲＵ１００に応答する。スケジュール時間において、ＷＴＲＵ１００は、第１のスケジュール送信２０４をｅＮＢ１０２に送信し、その後ｅＮＢ１０２は、競合解消信号（contention resolution signal）２０６をＷＴＲＵ１００に送信する。
【００１５】
図３は、ＲＡＣＨ通信を使用して、物理アップリンク・チャネル上で物理アップリンクの送信パワーレベルを決定するように構成された例示的なＷＴＲＵ３００を示す。例示的なＷＴＲＵ３００は、トランスミッタ３０２、レシーバ３０６、および物理アップリンク・パワーレベルプロセッサ３１０を含む。
【００１６】
トランスミッタ３０２は、ｅＮＢが使用して、所望のアップリンク物理アップリンク・パワーレベルを決定できる情報を含むＲＡＣＨアップリンク・メッセージ３０４を送信するように構成される。この情報は、ＲＡＣＨアップリンク・メッセージ３０４が送信されたＲＡＣＨメッセージのパワーレベル、または、ダウンリンクのパスロス指数を含むことができる。ダウンリンクのパスロス指数は、ＷＴＲＵ３００によって受信されたダウンリンク信号の測定パワーになり得る、または、既知の送信パワーレベルを有するダウンリンク信号の測定パワーから計算されたダウンリンクのパスロスになり得る。ＷＴＲＵ３００の例示的なトランスミッタ３０２は、ＲＡＣＨプリアンブル２００（図２に示す）の一部として、または、第１のスケジュールＲＡＣＨメッセージ２０４の一部として、ＲＡＣＨアップリンク・メッセージ３０４を送信するように構成できる。
【００１７】
ＷＴＲＵ３００の例示的なレシーバ３０６は、パワーオフセットの送信値を含むダウンリンク・メッセージ３０８を物理アップリンク・チャネル上で受信するように構成される。ダウンリンク信号３０８を、ランダム・アクセス応答信号２０２または競合解消信号２０６、または制御信号の一部としてのいずれかにおいてＰＤＣＣＨ(physical downlink control channel)上で受信できる。
【００１８】
例示的な実施形態において、レシーバ３０６は、ＲＡＣＨプリアンブル２００の送信の後、所定の送信パワーレベルを有するランダム・アクセス応答信号２０２を受信するようにさらに構成できる。この実施形態において、ＷＴＲＵ３００は、レシーバ３０６とトランスミッタ３０２との両方に接続されたパスロス・プロセッサ（図示せず）をさらに含む。パスロス・プロセッサは、ＲＡＣＨアップリンク信号が送信される前に、受信されたランダム・アクセス応答信号２０２のパワーとその所定の送信パワーレベルとに基づいてダウンリンクのパスロスを計算するように構成される。トランスミッタ３０２は、パスロス指数として計算されたダウンリンクのパスロスを含むＲＡＣＨアップリンク・メッセージを、第１のスケジュールＲＡＣＨメッセージ２０４において送信するように構成される。
【００１９】
物理アップリンク・パワーレベルプロセッサ３１０は、レシーバ３０２に接続されて、１または複数の物理アップリンク・チャネル上における物理アップリンクの送信パワーレベルを受信されたパワーのオフセット値に基づいて設定するように構成される。物理アップリンク・パワーレベルプロセッサ３１０が物理アップリンクのパワーレベルを設定できる物理アップリンク・チャネルは、ＰＵＣＣＨ(physical uplink control channel)またはＰＵＳＣＨ(physical uplink shared channel)を含む。
【００２０】
ＷＴＲＵ３００の例示的なレシーバ３０６はさらに、トランスミッタ３０２に接続されて、例示的なＲＡＣＨアップリンク・メッセージ３０４に対して可／不可インジケーションを含むことができるＢＣＨ(broadcast channel)メッセージを受信するようにさらに構成し得ることが考えられる。トランスミッタ３０２も、この可／不可インジケーションに基づいてＲＡＣＨアップリンク・メッセージ３０４の送信を可能にするまたは不能にするようにさらに構成することができる。
【００２１】
本出願の実施形態に従って、図４は、物理アップリンク・チャネル上で物理アップリンクの送信パワーレベルを決定する例示的な方法を示す。この例示的な方法を、この方法の処理、例えば、図３の例示的なＷＴＲＵ３００を実行するように構成されたＷＴＲＵを使用して実行できる。
【００２２】
ステップ４００において、ＲＡＣＨメッセージのパワーレベルおよび／またはダウンリンクのパスロス指数を含むＲＡＣＨアップリンク・メッセージが送信される。ダウンリンクのパスロス指数は、受信されたダウンリンク信号の測定パワーになり得る。または、ダウンリンクのパスロス指数は、既知の送信パワーレベルを有する、ダウンリンク信号の測定パワーから計算されたダウンリンクのパスロスになり得る。例示的なＲＡＣＨアップリンク・メッセージは、ＲＡＣＨプリアンブル２００（図２に示す）の一部として、または、第１のスケジュールＲＡＣＨメッセージ２０４の一部として、送信できる。
【００２３】
図４の方法の例示的な実施形態において、所定の送信パワーレベルを有するランダム・アクセス応答信号２０２を、ＲＡＣＨプリアンブル２００の送信の後に受信できる。この実施形態において、ダウンリンクのパスロスは、ＲＡＣＨアップリンク信号が送信される前に、受信されたランダム・アクセス応答信号２０２のパワーとその所定の送信パワーレベルとに基づいて計算される。パスロス指数として計算されたダウンリンクのパスロスを含むＲＡＣＨアップリンク・メッセージは、第１のスケジュールＲＡＣＨメッセージ２０４にその後送信される。
【００２４】
ステップ４０２において、パワーのオフセット値を含むダウンリンク・メッセージが受信される。ダウンリンク信号を、ランダム・アクセス応答信号２０２もしくは競合解消信号２０６のどちらかにおいてＲＡＣＨ上で、または、ＰＤＣＣＨ上の制御信号の一部として、のどちらかで受信できる。
【００２５】
ステップ４０４において、その後、物理リンクチャネル上の物理アップリンクの送信パワーレベルが、パワーのオフセット値に基づいて設定される。ステップ４０４において物理アップリンクのパワーレベルが設定される物理アップリンク・チャネルは、ＰＵＣＣＨまたはＰＵＳＣＨを含むことができる。
【００２６】
図４の例示的な方法も、ＲＡＣＨアップリンク・メッセージ３０４に対して可／不可インジケーションを含むことができるＢＣＨ(broadcast channel)メッセージの受信を含むことができる。ステップ４００において、この可／不可インジケーションは、ＲＡＣＨアップリンク・メッセージの送信を可能にするまたは不能にすることができる。
【００２７】
図５は、ＲＡＣＨ通信を使用して、物理アップリンク・チャネル上で物理アップリンクの送信パワーレベルを決定するように構成された代替例ＷＴＲＵ５００を示す。例示的なＷＴＲＵ５００は、トランスミッタ５００、レシーバ５０６、および物理アップリンク・パワーレベルプロセッサ５１０を含む。
【００２８】
トランスミッタ５０２は、ＲＡＣＨアップリンク・メッセージ５０４を送信するように構成される。ＷＴＲＵ５００の例示的なトランスミッタ５０２は、ＲＡＣＨプリアンブル２００（図２に示す）の一部として、または第１のスケジュールＲＡＣＨメッセージ２０４の一部として、ＲＡＣＨアップリンク・メッセージ５０４を送信するように構成できる。
【００２９】
ＷＴＲＵ５００の例示的なレシーバ５０６は、物理アップリンク・チャネル上の送信に対する相対パワーのオフセット値を含むダウンリンク・メッセージ５０８を受信するように構成される。この相対パワーのオフセット値は、ｅＮＢによって受信されたＲＡＣＨアップリンク・メッセージ５０４のパワーレベルと、受信されたアップリンク信号の所望のパワーレベルと、の差異に基づいて決定される。ダウンリンク信号５０８を、ランダム・アクセス応答信号２０２もしくは競合解消信号２０６のいずれかにおいて、または、制御信号の一部分としてＰＤＣＣＨ上で受信できる。
【００３０】
物理アップリンク・パワーレベルプロセッサ５１０は、レシーバ５０２に接続されて、１または複数の物理アップリンク・チャネル上における物理アップリンクの送信パワーレベルを受信された相対パワーのオフセット値に基づいて設定するように構成される。物理アップリンク・パワーレベルプロセッサ５１０が物理アップリンクの送信パワーレベルを設定できる物理アップリンク・チャネルは、ＰＵＣＣＨまたはＰＵＳＣＨを含む。
【００３１】
図６は、本アプリケーションの実施形態に従って、物理アップリンク・チャネル上で物理アップリンクの送信パワーレベルを決定する別の例示的な方法を示す。この例示的な方法を、この方法の処理、例えば、図５の例示的なＷＴＲＵ５００を実行するように構成されたＷＴＲＵを使用して実行できる。
【００３２】
ステップ６００において、ＲＡＣＨアップリンク・メッセージが送信される。例示的なＲＡＣＨアップリンク・メッセージは、ＲＡＣＨプリアンブル２００（図２に示す）または第１のスケジュールＲＡＣＨメッセージ２０４の一部として送信できる。
【００３３】
ステップ６０２において、相対パワーのオフセット値を含むダウンリンク・メッセージが受信される。ダウンリンク信号を、ランダム・アクセス応答信号２０２もしくは競合解消信号２０６のいずれかにおいて、または、制御信号の一部としてＰＤＣＣＨ上で受信できる。
【００３４】
ステップ６０４において、その後、物理リンクチャネル上の物理アップリンクの送信パワーレベルが、相対パワーのオフセット値に基づいて設定される。ステップ６０４において物理アップリンクのパワーレベルが設定される物理アップリンク・チャネルは、ＰＵＣＣＨまたはＰＵＳＣＨを含むことができる。
【００３５】
本発明の特徴および要素は、特定の組み合わせにおいて説明されるが、それぞれの特徴または要素を、他の特徴および要素を用いずに単独で、または他の特徴および要素の有無にかかわらずさまざまな組み合わせにおいて使用することができる。与えられた方法は、コンピュータプログラム、ソフトウェア、または汎用コンピュータまたはプロセッサによって実行されるコンピュータ可読記憶媒体に明示的に具体化されるファームウェアに実装されてもよい。コンピュータ可読記憶媒体の例は、ＲＯＭ(read only memory)、ＲＡＭ(random access memory)、レジスタ、キャッシュメモリ、半導体メモリデバイス、内部ハードディスクおよびリムーバブルディスクなどの磁気媒体、光磁気媒体、ならびにＣＤ−ＲＯＭおよびＤＶＤ(digital versatile disk)などの光媒体を含む。
【００３６】
適切なプロセッサは、例を挙げると、汎用プロセッサ、専用プロセッサ、または標準プロセッサ、ＤＳＰ(digital signal processor)、複数のマイクロプロセッサ、ＤＳＰコアと連動する１または複数のマイクロプロセッサ、コントローラ、マイクロコントローラ、ＡＳＩＣ(Application Specific Integrated Circuit)、ＦＰＧＡ(Field Programmable Gate Array)回路、他のあらゆる種類のＩＣ(integrated circuit)、および／または状態機械を含んでもよい。本明細書で説明したさまざまなプロセッサを、個々の要素に具体化できる。あるいは、これらの例示的なプロセッサの２以上が単一のプロセッサ要素内に共存し得ることが考えられる。
【００３７】
ソフトウェアと連動するプロセッサを使用して、ＷＴＲＵ(wireless transmit receive unit)、ＵＥ(user equipment)、端末機、基地局、ＲＮＣ(radio network controller)、または任意のホストコンピュータに使用する無線周波数トランシーバを実装できる。ＷＴＲＵを、カメラ、ビデオカメラモジュール、ビデオフォン、スピーカフォン、振動デバイス、スピーカ、マイクロフォン、テレビ受信機、ハンズフリーヘッドセット、キーボード、Ｂｌｕｅｔｏｏｔｈ（登録商標）モジュール、ＦＭ(frequency modulated)無線ユニット、ＬＣＤ(liquid crystal display)ディスプレイユニット、ＯＬＥＤ(organic light-emitting diode)ディスプレイユニット、デジタル音楽プレーヤ、メディアプレーヤ、ビデオゲームプレーヤモジュール、インターネットブラウザ、および／または任意のＷＬＡＮ(wireless local area network)モジュールなどのハードウェアおよび／またはソフトウェアに実装されるモジュールとともに使用してもよい。
【００３８】
＜実施形態＞
実施形態１．物理アップリンク・チャネル上で物理アップリンクの送信パワーレベルを決定する方法。
実施形態２．ＲＡＣＨメッセージのパワーレベルまたはダウンリンクのパスロス指数の少なくとも１つを含むＲＡＣＨ(random access channel)アップリンク・メッセージを送信すること、パワーのオフセット値を含むダウンリンク・メッセージを受信すること、および前記物理アップリンク・チャネル上における前記物理アップリンクの送信パワーレベルを前記パワーのオフセット値に基づいて設定することを含む実施形態１における方法。
実施形態３．前記ＲＡＣＨアップリンク・メッセージは、ＲＡＣＨプリアンブルまたは第１のスケジュールＲＡＣＨメッセージの１つである実施形態２における方法。
実施形態４．ＲＡＣＨプリアンブルの送信の後で、かつ、ＲＡＣＨアップリンク信号の送信の前にランダム・アクセス応答信号を受信することであって、前記ランダム・アクセス応答信号は、所定の送信パワーレベルを有し、前記ＲＡＣＨアップリンク・メッセージは、第１のスケジュールＲＡＣＨメッセージであり、ダウンリンクのパスロスは、受信された前記ランダム・アクセス応答信号および前記ランダム・アクセス応答信号の前記所定の送信パワーレベルに基づいて計算され、および前記第１のスケジュールＲＡＣＨメッセージは、前記ダウンリンクのパスロス指数として計算されたダウンリンクのパスロスを含むことをさら含む実施形態２または３のいずれかにおける方法。
実施形態５．前記パワーのオフセット値を含む前記ダウンリンク・メッセージは、ＲＡＣＨまたは物理ダウンリンク制御チャネル上の１つで受信される実施形態２乃至４のいずれかにおける方法。
実施形態６．前記物理アップリンクのパワーレベルが設定される前記物理アップリンク・チャネルは、物理アップリンク制御チャネルまたは物理アップリンク共有チャネル上の１つにある実施形態２乃至５のいずれかにおける方法。
実施形態７．可／不可インジケーションを含むブロードキャスト・チャネル・メッセージを受信することであって、前記ＲＡＣＨアップリンク・メッセージの送信を可能にするまたは不可能にする前記可／不可インジケーションは、前記ＲＡＣＨメッセージのパワーレベルまたは前記ダウンリンクのパスロス指数の少なくとも１つを含むことをさらに含む実施形態２乃至６のいずれかにおける方法。
実施形態８．ＲＡＣＨ(random access channel)アップリンク・メッセージを送信すること、相対パワーのオフセット値を含むダウンリンク・メッセージを受信すること、および前記物理アップリンク・チャネル上における前記物理アップリンクの送信パワーレベルを前記相対パワーのオフセット値に基づいて設定することを含む実施形態１における方法。
実施形態９．前記ＲＡＣＨアップリンク・メッセージは、ＲＡＣＨプリアンブルまたは第１のスケジュールＲＡＣＨメッセージの少なくとも１つである実施形態８における方法。
実施形態１０．前記相対パワーのオフセット値を含む前記ダウンリンク・メッセージは、ＲＡＣＨまたは物理ダウンリンク制御チャネル上の１つで受信される実施形態８または９のいずれかにおける方法。
実施形態１１．前記物理アップリンクのパワーレベルが設定される前記物理アップリンク・チャネルは、物理アップリンク制御チャネルまたは物理アップリンク共有チャネル上の１つに設定される実施形態８乃至１０のいずれかにおける方法。
実施形態１２．実施形態１乃至１１のいずれかにおける方法を使用して、物理アップリンク・チャネル上で物理アップリンクの送信パワーレベルを決定するように構成されたＷＴＲＵ(wireless transmit/receive unit)。
【図１】
2015006002.tif 000003
【図２】
2015006002.tif 000004
【図３】
2015006002.tif 000005
【図４】
2015006002.tif 000006
【図５】
2015006002.tif 000007
【図６】
2015006002.tif 000008
【手続補正書】
【提出日】平成26年10月6日(2014.10.6)
【手続補正１】
【補正対象書類名】特許請求の範囲
【補正対象項目名】全文
【補正方法】変更
【補正の内容】
【特許請求の範囲】
【請求項１】
物理アップリンクチャネル上においてメッセージを送信するための物理アップリンクのパワーレベルを決定する方法であって、
ＲＡＣＨ（random access channel）プリアンブルをノードＢへ送信するステップと、
前記ノードＢからパワーオフセットを受信するステップであって、前記パワーオフセットは、物理制御チャネル（physical control channel）上にて受信される、ステップと、
前記物理アップリンクチャネル上における前記メッセージの前記ノードＢへの送信のための前記物理アップリンクのパワーレベルを、前記パワーオフセットに基づいて設定するステップと、
を含む方法。
【請求項２】
前記物理アップリンクチャネルは、物理アップリンク制御チャネルまたは物理アップリンク共有チャネルのうちの一つである、請求項１に記載の方法。
【請求項３】
応答信号を受信するステップであって、前記応答信号は、前記パワーオフセットとは異なるチャネル上において受信される、請求項１に記載の方法。
【請求項４】
物理アップリンクチャネル上においてメッセージを送信するための物理アップリンクのパワーレベルを決定するように構成された無線送受信ユニット（ＷＴＲＵ）であって、
ＲＡＣＨ（random access channel）プリアンブルをノードＢへ送信するように構成された送信器と、
前記ノードＢからパワーオフセットを受信するように構成された受信器であって、前記パワーオフセットは、物理制御チャネル（physical control channel）上にて受信される、受信器と、
前記物理アップリンクチャネル上における前記メッセージの前記ノードＢへの送信のための前記物理アップリンクのパワーレベルを、前記パワーオフセットに基づいて設定するように構成されたプロセッサと、
を備えるＷＴＲＵ。
【請求項５】
前記物理アップリンクチャネルは、物理アップリンク制御チャネルまたは物理アップリンク共有チャネルのうちの一つである、請求項４に記載のＷＴＲＵ。
【請求項６】
前記受信器は前記応答信号を受信するようにさらに構成され、前記応答信号は、前記パワーオフセットとは異なるチャネル上において受信される、請求項４に記載のＷＴＲＵ。
【請求項７】
前記ＲＡＣＨプリアンブルはパスロス指数を含む、請求項１に記載の方法。
【請求項８】
前記ＲＡＣＨプリアンブルはパスロス指数を含む、請求項４に記載のＷＴＲＵ。